(57)【要約】      （修正有）【課題】同時に複数匹のペットを、自由、かつ容易に散歩等させることができるペット用のリードを提供する。【解決手段】複数匹のペットを繋ぐ複数本のサブリード２ａ、２ｂ、２ｃを有し、複数本のサブリードの基端側を把持部側から延びる１本の主リード１に連結してなるペット用リードであって、ペット側複数本のサブリードは、その内の１本のサブリード２ａが所定のストッパー部材５を介して把持部側主リードに連続したものとなっている一方、その他のペット側サブリード２ｂ、２ｃは、上記主リードに対してスライド自在に係合されて、上記主リードの長さ方向に自由に移動できるようになっている。【選択図】図１
0003183427.tif 000002
【実用新案登録請求の範囲】
【請求項１】
複数匹のペットを繋ぐ複数本のサブリードを有し、該複数本のサブリードの基端側を把持部側から延びる１本の主リードに連結してなるペット用リードであって、
上記ペット側複数本のサブリードは、その内の１本のサブリードが所定のストッパー部材を介して上記把持部側主リードに連続したものとなっている一方、その他のペット側サブリードは、上記主リードに対してスライド自在に係合されて、上記主リードの長さ方向に自由に移動できるようになっていることを特徴とするペット用リード。
【考案の詳細な説明】
【技術分野】
【０００１】
本願考案は、複数匹のペットを同時に散歩させる時に用いるペット用のリードの構成に関し、さらに詳しくは、複数匹のペットが自由に行動しながらも、相互に交錯して絡み合わないようにしたペット用のリードに関するものである。
【背景技術】
【０００２】
最近では一軒の家庭でも、複数匹のペットを飼う家庭が多くなっている。そのような場合、毎日の散歩に連れてゆくのが厄介で、同時に複数匹のペットを各ペット毎に１本の複数本のリードを用いて散歩させているのが一般的である。
【０００３】
しかし、そのようにした場合、各ペットは勝手気ままに走ったり、止まったりするし、また走る方向も色々であるので、複数本のリードが交錯したり、飼い主の体の前後に回ったりして、スムーズに散歩させることは決して容易ではないのが実情である。
【０００４】
そこで、このような問題を解決するために、例えば１本の主リードの途中から先端側にかけて、複数本のサブリードを分岐させ、それらの先端に周知の首輪用フックを設けた分岐型リードが提案されている（例えば特許文献１の構成を参照）。
【０００５】
このようなペット用リードによると、主リードとしては１本で足り、サブリード部分の長さを適切なものに設定すると、少なくとも飼い主の体の前後に回るようなことはなくなり、主リードのみを上手くコントロールすれば、略１本のリード状態で複数匹のペットを散歩させることが可能になる。
【先行技術文献】
【特許文献】
【０００６】
【特許文献１】実開平07-22653号公報
【考案の概要】
【考案が解決しようとする課題】
【０００７】
しかし、上記従来のペット用リードの構成の場合、サブリード部の長さを調整することはできず、各ペットの行動半径は、当然ながらサブリード部の長さによって固定的に規制された狭いものとなり、ペットは必ずしも自由に動くことができず、ぶつかり合ったり、引っ張り合いをすることになる。
【０００８】
特に、同じ種類、大きさのペットを散歩させる場合には、まだ良いとしても、種類や大きさの異なるペットを散歩させる場合には、よりサブリード同士が錯綜して絡み合いやすい。また、小さなペットは大きなペットに引きずられることになり、自分の行きたい方向に行くことができない。そのため、散歩をさせている飼い主はもちろん、ペットにストレスが生じることが避けられない。
【０００９】
本願考案は、このような問題を解決するためになされたもので、複数本のサブリードの１本をストッパーを介して主リードに連続するものとする一方、その他のサブリードを主リードに対してスライド自在に係合させることにより、サブリードに繋がれたペットがサブリード自体の長さによる規制を受けることなく、主リードの長さに対応して自由に移動できるようにしたペット用リードを提供することを目的とするものである。
【課題を解決するための手段】
【００１０】
本願考案は、上述の課題を解決するために、次のような課題解決手段を備えて構成されている。
【００１１】
本願考案の課題解決手段は、複数匹のペットを繋ぐ複数本のサブリードを有し、該複数本のサブリードの基端側を把持部側から延びる１本の主リードに連結してなるペット用リードであって、
上記ペット側複数本のサブリードは、その内の１本のサブリードが所定のストッパー部材を介して上記把持部側主リードに連続したものとなっている一方、その他のペット側サブリードは、上記主リードに対してスライド自在に係合されて、上記主リードの長さ方向に自由に移動できるようになっていることを特徴としている。
【００１２】
すなわち、本願考案の課題解決手段の構成では、複数匹のペットを繋ぐ複数本のサブリードを有し、該複数本のサブリードの基端側を所定の把持部側から延びる１本の主リードに連結しているので、主リード側他端の把持部を持って複数本のサブリードを操作することにより、同複数本のサブリードを介して犬など複数匹のペットを同時に散歩等させることができる。
【００１３】
しかも、その場合において、上記ペット側複数本のサブリードは、その内の１本のサブリードが上記把持部側主リードの先端に所定のストッパを介して連続したものとなっている一方、その他のペット側サブリードは、例えばガイドローラーつきの遊嵌部材等を介して、上記主リードに対してスライド自在に係合されており、上記主リードの長さ方向に自由にスライド移動できるようになっている。
【００１４】
したがって、上記主リードに連続するサブリードに繋がれたペットは、上記主リード部の長さを任意に延長することにより、自由に行動半径を拡大することができる一方、その他のサブリードに繋がれたペットは、当該所望に延長されて長くなった主リード部分を基端側又は先端側方向に、幅広く、自由にスライド移動して、上記主リードに連続するサブリード側のペットとの間における行動半径はもちろん、その他のペットとの間における行動半径をも自由に拡大することができる。
【００１５】
このため、本願考案の課題解決手段の構成によると、一定の長さの複数本のサブリード部の基端を主リードの先端に結束した従来例のように、複数のペット相互の間の距離が当該サブリード自体の長さによって規制されると言うことがなく、サブリード自体の長さに関係なく、上述のように主リードの長さを延長すれば、それに応じて当該主リードに連続するサブリードの長さを延ばしたのと同様になり（主リード長＋サブリード長）、複数のペット各々の行動半径、および複数のペット相互間における行動半径がそれぞれ拡大される。
【００１６】
したがって、複数匹のペットを同時に一人で散歩させる場合にも、ペット相互が交錯してサブリードが絡まると言うこともなくなり、ペットにとってストレスがなくなるだけでなく、散歩させる者にとっても散歩自体が楽なものとなる。
【００１７】
もちろん、ペットそれぞれは各々が勝手に移動するので、上記のように主リードを延長したとしても、一時的には同主リードに連続するサブリード基端側のストッパ部分まで戻ることもあるが、その後の行動半径は、当該複数本のサブリードの長さを散歩者が適切に調節することにより、各ペットにストレスを感じさせないようにコントロールすることができる。
【００１８】
この場合、上記主リード基端側の主リード把持部としては、必要な長さの主リードをリール構造の券成部に巻込み方向に付勢力をかけて巻いておき、ボタン操作で自由な繰り出し、巻き戻しができる携帯型リール構造の装置を採用すると便利である。
【００１９】
そのようにした場合、例えば道路上で車などに遭遇したような場合、速やかに延長していた主リードを収縮させて、複数のペット各々のサブリード基端を主リードに連続するサブリード基端のストッパ部に収束させてペットを集合させ、また、その後、速やかに元の状態に戻すことができる。
【考案の効果】
【００２０】
以上の結果、本願考案によると、複数匹のペットを同時に散歩させるような場合にも、各ペットの移動が自由で、相互に交錯するようなことがなくなり、非常にスムーズな散歩が可能になる。
【図面の簡単な説明】
【００２１】
【図１】図１は、本願考案の実施の形態１に係るぺット用リードの全体的な構造を示す斜視図である。
【図２】同ペット用リードのサブリード基端と主リードとのスライド自在な係合部の構成を示す斜視図である。
【図３】同ペット用リードの主リード延長時におけるサブリードの移動状態を示す説明図である。
【図４】図４は、本願考案の実施の形態２に係るペット用リードの要部の構成と作用を示す正面図である。
【図５】図５は、同ペット用リードの要部の構成を示す側面図である。
【図６】図６は、同ペット用リードの切欠き部に金属テープを巻いた状態の要部の構成を示す正面図である。
【図７】図７は、本願考案の実施の形態３に係るペット用リードの要部の構成と作用を示す正面図である。
【図８】図８は、同ペット用リードの要部の構成を示す側面図である。
【図９】図９は、本願考案の実施の形態４に係るペット用リードの要部の構成と作用を示す正面図である。
【図１０】図１０は、同ペット用リードの要部の構成と作用を示す側面図である。
【考案を実施するための形態】
【００２２】
＜実施の形態１＞
図１〜図３は、それぞれ本願考案の実施の形態１に係るペット用リードの構成を示すものである。
【００２３】
すなわち、本願考案の実施の形態１の構成では、先ず図１に示すように、それぞれ先端側に犬などの複数匹のペットを繋ぐ首輪用のフック３ａ〜３ｃを備えた複数本のサブリード２ａ〜２ｃを有し、該複数本のサブリード２ａ〜２ｃの基端側を所定の把持部４側から延びる１本の主リード１に各々所定の連結方法で連結している。
【００２４】
したがって、主リード１側他端の把持部４を持って複数本のサブリード２ａ〜２ｃを操作することにより、同複数本のサブリード２ａ〜２ｃを介して犬などの複数匹のペットを同時に散歩等させることができる。
【００２５】
しかも、その場合において、上記ペット側複数本のサブリード２ａ〜２ｃは、その内の１本のサブリード２ａが上記把持部４側主リード１の先端に所定のストッパ部材５を介して連続したものとなっている一方、その他のペット側サブリード２ｂ、２ｃは、例えば動滑車などのガイドローラー６ａを備えた環状枠構造の遊嵌部材６を介して、上記主リード１に対してスライド自在に係合されており、上記主リード１の長さ方向に自由に移動できるようになっている。
【００２６】
そして、上記遊嵌部材６は、例えば図２に示すように、その内側に上記ガイドローラ６ａを備えた環状の枠部材６ｂの一端側（サブリード２ｂ、２ｃ側）に支軸６ｃを設け、この支軸６ｃに対して軸回り方向に相対回転自在にサブリード２ｂ、２ｃ連結用のリング部材６ｄを設けて構成されており、そのリング部材６ｄに対してサブリード２ｂ、２ｃの基端側を軸回り方向に回転自在な状態で連結している。
【００２７】
したがって、上記主リード１に連続するサブリード２ａに繋がれたペットＡは、例えば図３に示すように、上記主リード１部分の長さを任意に延長することにより、上記サブリード２ｂ，２ｃ側のペットＢ、Ｃに影響されることなく自由に行動半径を拡大することができる一方、サブリード２ｂ，２ｃ側に繋がれたペットＢ、Ｃは、当該所望に延長されて長くなった主リード１部分（ストッパ部材５から把持部４に至る部分）を、サブリード２ａ側のペットＡに引きずられるようなことなく、主リード１の基端側（把持部４側）又は先端側（ストッパ部材５側）方向に、幅広く、かつ自由にスライド移動して、上記主リード１に連続するサブリード２ａ側のペットとの間における行動半径はもちろん、その他のペットとの間における行動半径をも自由に拡大することができる。
【００２８】
このため、同構成によると、すでに述べた１本の主リードの先端側を、その途中から一定の長さの複数本のサブリード部に分岐した従来例のように、複数のペット相互の間の距離が当該サブリード自体の長さによって規制されるということがなく、サブリード２ａ〜２ｃ自体の長さに関係なく、上述のように主リード１の長さを延長すれば、それに応じて当該主リード１に連続するサブリード２ａ〜２ｃの長さを延ばしたのと同様になり（主リード長＋サブリード長）、複数のペット各々の行動半径、および複数のペット相互間における行動半径がそれぞれ相互に自由な形で拡大される。
【００２９】
したがって、また複数匹のペットを同時に一人で散歩させる場合にも、ペット相互が交錯してサブリード２ａ〜２ｃが絡まると言うこともなくなり、ペットにとってストレスがなくなるだけでなく、散歩させる者にとっても散歩自体が、楽で、楽しいものとなる。
【００３０】
もちろん、ペットそれぞれは各々が勝手に移動するので、上記のように主リード１を延長したとしても、一時的には同主リード１に連続するサブリード２ａ基端側のストッパ部材５まで戻ることもあるが、その後の行動半径は、当該複数本のサブリード２ａ〜２ｃの長さを適切に設定することにより各ペットにストレスを感じさせないものとすることができる。
【００３１】
これらの事情を勘案した時、例えば上述の複数匹のペットＡ〜Ｃに大きさの相違があるような場合には、できれば主リード１に連続しているサブリード２ａに大型のペットを繋ぐことが好ましい。そのようにすると、引張力の大きな大型のペットＡのコントロールが容易になり、小型のペットＢ、Ｃに対する影響も小さくすることができる。
【００３２】
この場合、上記主リード１基端側の主リード把持部４としては、例えば図１に示すような、必要にして十分な長さの主リード１を収納ケース４ａ内に内蔵するドラム状の券成部４ｃ部分に巻込み方向に付勢力をかけて巻いておき、押しボタン４ｂの操作方法如何で所望の長さの繰り出し、自動的な巻き戻しができる携帯型のリール装置を採用すると便利である。この実施の形態のリール装置の場合、収納ケース４ａの後端側には取手部４ｄが設けられており、その上部位置に押しボタン４ｂが設けられている。
【００３３】
そのようにした場合、例えば道路上で車に遭遇したような場合、上記速やかに延長していた主リード１を収縮させて、複数のペット各々のサブリード２ｂ、２ｃ基端を主リード１に連続するサブリード２ａ基端のストッパ部材５部分に収束させてペットを集合させ、また速やかに元の状態に戻すことができる。
【００３４】
以上の結果、同構成によると、複数匹のペットを同時に散歩させるような場合にも、各ペットの移動が自由で、相互に交錯するようなことがなくなり、非常にスムーズな散歩が可能になる。
＜実施の形態２＞
次に、図４〜図６は、本願考案の実施の形態２に係るペット用リードの構成を示している。
【００３５】
上述の実施の形態１における主リード１およびサブリード２ｂ、２ｃは、セットで販売されることが好ましいが、それぞれの消耗状態は異なるし、サブリード２ｂ、２ｃの方の必要な本数はユーザー側の使用するペット数によって異なる。  そのため、主リード１とサブリード２ａ、２ｂは、ニーズに応じて別々に販売する必要もある。
【００３６】
ところが、そのようにした場合、主リード１を有していて、サブリード２ｂ、２ｃのみを買ったユーザーは、自分で、主リード１部分に対してサブリード２ｂ，２ｃの遊嵌部材６部分を遊嵌（係合）させる必要がある。そのために、通常は上述したストッパ部材５基端側（主リード１側）の孔部部分において、係合されている主リード１の先端側結び目部分をサブリード２ａ方向に少しずつ繰り出して結び目を解き、１本の軸状の状態にしてストッパ部材５から抜いた上で、各遊嵌部材６、６の枠部材６ｂ、６ｂのガイドローラ６ａ，６ａ部分に通し、その後、再びストッパ部材５の基端側孔部部分に挿入してサブリード２ａ側に抜き、再度結び目を形成した上で同ストッパ部材５の基端側孔部部分に係合させる必要があり、相当に作業が厄介である。
【００３７】
そこで、この実施の形態では、例えば図４〜図６に示すように、遊嵌部材６の枠部材６ｂの側板部分に幅方向にストレートな１本の切欠き７を設け、この切欠き７を介して、図４に矢印で示すように主リード１を押し込んで遊嵌させるようにしたことを特徴とするものである。
【００３８】
この場合、切欠き７の上下幅は、主リード１の直径よりも少し小さく形成されていて、いったん遊嵌された主リード１が簡単には外れないようになっているが、
サブリード２ｂ、２ｃに繋がれたペットＢ、Ｃは複雑な動きもするので、より確実に外れないようにするために、最終的には図６に示すように上記切欠き７部分の周囲をアルミ等の比較的硬度の高い金属テープ１０で巻層し、蓋をするようにしている。
【００３９】
また、切欠き７の外方側上下両縁部の角部（エッジ部）は、主リード１の押入を容易にするために、好ましくは断面円弧状のアール面に形成する。その他の部分の構成は、上述の実施の形態１の構成と同様である。
【００４０】
このような構成によると、ストッパ部材５部分における主リード１の結び目を解くことなく、サブリード２ｂ、２ｃの遊嵌部材６，６の主リード１に対する遊嵌（係合）を可能とすることができるので、サブリード２ｂ、２ｃのみを購入したユーザーにとっても、主リード１に対するサブリード２ｂ、２ｃの取り付けが容易になる。
＜実施の形態３＞
次に、図７および図８は、本願考案の実施の形態３に係るペット用リードの構成を示している。
【００４１】
上記実施の形態２に係るペット用リードの構成では、水平方向のストレートな切り込みによる切欠き７であるため、主リード１による水平方向の係合力が逆方向（外れる方向）に繰り返し作用した時には、上記金属テープ１０部分の耐久性に若干の懸念が生じる。
【００４２】
そこで、この実施の形態では、上記の切欠き７を、例えば図７および図８に示すように、枠部材６ｂ側板の肉厚を利用して下方から上方にかけて斜めに切り込む形で形成し、それによって主リード１をガイドローラ６ａの凹溝部方向にスムーズに押入できるようにするとともに（この場合にも、当該切欠き７の外方側の上下各縁部の角部には断面円弧状の丸みを形成して主リード１の押入を容易にする）、水平方向の溝幅を実質的に主リード１の直径よりも大幅に小さくしたことを特徴とするものである。その他の構成（押入後の金属テープ１０の券成など）は、上記実施の形態２のものと同様である。
【００４３】
このようにすると、上記実施の形態２の場合に比べて、水平方向に見たときの切欠き７の溝幅を１／２以下に小さくすることができる。したがって、同切欠き７部分に主リード１による外方への係合力が繰り返し作用したようなときにも、同部分に巻成された金属テープ１０部分の支持力を大きく増大させることができ、主リード１が外れる懸念が殆ど解消される。
＜実施の形態４＞
次に、図９および図１０は、本願考案の実施の形態４に係るペット用リードの構成を示している。
【００４４】
以上の実施の形態２〜４のものでは、いずれも切欠き７が枠部材６側板の幅方向にストレートに形成されており、金属テープ１０の巻成により蓋をされているとは言え、長期間の使用を考えると、主リード１が外れる可能性が全く無いとは言いがたい。
【００４５】
そこで、この実施の形態では、例えば図９および図１０に示すように、上述の枠部材６ｂ側板の切欠き７を側面視Ｖ字型の形状に形成することによって、逆三角形状の上縁部８と、Ｙ字形状の下縁部両端９，９を設け、それら３つの部分によって、仮に上述のような金属テープ１０を巻かなくても、主リード１が枠部材６ｂの側板部分で確実に係止されるようにして（図１０の仮想戦の状態を参照）、より確実に主リード１の外れを防止するようにしたことを特徴とするものである。もちろん、同形状はＷ字形状でも良い。
【００４６】
このような構成によると、同じく切欠き７を形成するだけの、極めて簡単な構成でありながら、より確実な主リード１の係止を可能とすることができる。
【００４７】
また、このＶ字形状は、例えば円弧形状に変更することもできる。そのようにすると、ほぼ同様の作用を得ながら、主リード１の押入操作を相対的に容易にすることができる。
（変形例）
（１）枠部材６側版の切欠き７について
これは、上記実施の形態２〜４の切欠きに変えて、例えば側板の上部側を固定片とする一方、下部側を外方からの押圧操作により内側に変形して隙間を形成するバネ片により構成し、主リード１を挿入した後にバネ片を弾性復帰させて隙間を閉じる構造のものにすることもできる
（２）主リード１に連続するサブリード２ａの構成について
これは上述の実施の形態１の構成のように、他のサブリード２ｂ、２ｃと同様の別体のものを連結機能をもったストッパ部材５を介して主リード１の先端に連結したものでも良いが、例えば主リード１自体をサブリード２ａの長さだけ長くし、その基端側位置に別途連結機能のないストッパ部材５を取り付けて同様のサブリードとしたものでも良い。
【００４８】
このようにした場合にも、上述の実施の形態２〜４の構成を採用すれば、主リード１に対するサブリード２ｂ、２ｃの取り付けは容易である。
（３）遊嵌部材６の構成について
以上の各実施の形態の構成では、ペットＢ，Ｃの移動により作用する張力方向（引っ張り方向）は通常一定であることから、それに対応して動滑車よりなるガイドローラ６ａが１個のもので構成したが、必要に応じて該ガイドローラ６ａは１個ではなく、２個使用して、それらの相互に対向するガイド溝間に主リード１を通す構成としても良い。そのようにすると、いずれの方向に張力が掛かった場合にもスムーズなスライドを可能とすることができる。
【００４９】
また、同遊嵌部材６は、必ずしも上記動滑車等のガイドローラ６ａを必須の構成とするものではなく、例えば摺動性の高い環状部材（金属又は合成樹脂製のリング部材）のみを用いて遊嵌係合させるようにしても良い。
（４）主リード１およびサブリード２ａ〜２ｃの構造について
これらは、どのような素材（布製、合成樹脂製、その他）、どのような構造（軸状、帯状、その他）のものを採用してもよい。
【符号の説明】
【００５０】
１は主リード、２ａは主リードに連続するサブリード、２ｂ，２ｃはその他のサブリード、３ａ〜３ｃはペット側の首輪用フック、４は把持部、５はストッパ部材、６は主リード１に対してスライド可能な遊嵌部材、７は切欠き、１０は金属テープである。
【図１】
0003183427.tif 000003
【図２】
0003183427.tif 000004
【図３】
0003183427.tif 000005
【図４】
0003183427.tif 000006
【図５】
0003183427.tif 000007
【図６】
0003183427.tif 000008
【図７】
0003183427.tif 000009
【図８】
0003183427.tif 000010
【図９】
0003183427.tif 000011
【図１０】
0003183427.tif 000012